(57)【特許請求の範囲】
【請求項１】
複数固定孔が上面に設けられた便器本体に、水洗装置の少なくとも一部を含む機器を備えた機能部を取付ける機構であって、前記機能部の下面にナットを一体的に設け、前記機能部の底面を形成する下面カバーにナットよりも若干大きく形成したナット係止凹部を設け、前記機能部を前記便器本体に載せ、前記固定孔を下側より貫通した頭付ボルトにナットを螺合させて前記機能部を前記便器本体に締着することを特徴とする便器本体への機能部取付機構。
【請求項２】
複数の前側固定孔と後側固定孔とが上面に設けられた便器本体に、水洗装置の少なくとも一部を含む機器を備えた機能部を取付ける機構であって、前記前側固定孔に先部に雌ねじ部を中間に弾性拡径部を有する座付きブッシュを挿入した後、便器取付孔を介して取付ボルトを螺合させて載置固定され且つ両端に上方へ屈曲する屈曲部を有する取付プレートと、前記機能部の前側に設けられた取付部と前記機能部の後部裏面側に一体的に設けられるナットとを設け、前記機能部を前記便器本体に載せ、前記取付プレートに設けられた前記屈曲部を取付部に嵌合させると共に、前記後側固定孔を下側から貫通した前記頭付ボルトをナットに螺合させて前記機能部を前記便器本体に締着することを特徴とする便器本体への機能部取付機構。
【請求項３】
請求項２記載の便器本体への機能部取付機構において、機能部底面を形成する下面カバーにナットよりも若干大きく形成したナット係止凹部を設けたことを特徴とする便器本体への機能部取付機構。
【請求項４】
請求項１または請求項３記載の便器本体への機能部取付機構において、ナット係止凹部からナットが抜け落ちるのを防止する抜け防止板を下面カバーに取付けたことを特徴とする便器本体への機能部取付機構。
【請求項５】
請求項１、請求項３、請求項４のいずれかに記載の便器本体への機能部取付機構において、ナット係止凹部の下方には徐々に縮小するテーパ状のボルト挿入ガイドを設けたことを特徴とする便器本体への機能部取付機構。
【請求項６】
請求項２記載の便器本体への機能部取付機構において、前記屈曲部には機能部取付孔を設け、前記取付部には雌ねじ部を設け、取付ボルトを機能部取付孔を貫通した後、雌ねじ部に螺合したことを特徴とする便器本体への機能部取付機構。
【請求項７】
請求項６記載の便器本体への機能部取付機構において、前記取付ボルトを被覆するカバーを、前記機能部のケーシングに着脱自在に取り付けることを特徴とする便器本体への機能部取付機構。
【発明の詳細な説明】
【０００１】
【発明の属する技術分野】
本発明は、便器本体へ水洗装置を含む機器を備えた機能部を、簡単な作業で取付ることができる便器本体への機能部取付け方法に関する。
【０００２】
【従来の技術】
図２０に示すように、洋式水洗便器は、陶器製の便器本体８５の上側後部に、便座２ｂ及び便蓋２ｃの回動部、局部洗浄装置（衛生洗浄装置）などの各種装置とその制御装置を備えた機能部２が設けられている。この機能部２の便器本体８５への取付け方法は、機能部２を、便器本体８５の上面の前後左右に設けられた４本の固定孔８４と、機能部２の底部の下面カバー２２に設けられた取付け孔２ｄに取付ボルト２９ａを挿入した後、便器本体８５の底側や裏側からナット２９ｂで螺着することにより行われていた。
【０００３】
【発明が解決しようとする課題】
しかしながら、従来の便器本体への機能部取付け方法では、取付ボルト２９ａの差込み又は引抜き作業のため、機能部２上方から露出する様に機能部２の取付孔２ｄを設ける必要があり、取付ボルト２９ａ若しくは取付け孔２ｄを隠蔽するための隠蔽カバーを設けなければならないと言う問題があった。
本発明はかかる事情に鑑みてなされたもので、便器本体の上面に機能部を簡単に取付け取外しできるだけでなく、取付ボルト若しくは取付け孔を隠蔽するカバーを必要としない機能部の取付構造を提供することを目的とする。
【０００４】
【課題を解決するための手段及び作用及び効果】
前記目的に沿う第１の発明に係る便器本体への機能部取付機構は、複数固定孔が上面に設けられた便器本体に、水洗装置の一部を含む機器を備えた機能部を取り付ける機構であって、前記機能部の下面にナットを一体的に設け、前記機能部の底面を形成する下面カバーにナットよりも若干大きく形成したナット係止凹部を設け、前記機能部を前記便器本体に載せ、前記固定孔を下側より貫通した頭付ボルトにナットを螺合させて前記機能部を前記便器本体に締着する。これにより、機能部上方に露出するように取付孔を設けなくてもよいため、隠蔽カバーを設ける必要がなく外観を向上することができる。
【０００５】
前記目的に沿う第２に発明に係る便器本体への機能部取付機構は、複数の前側固定孔と後側固定孔とが上面に設けられた便器本体に、水洗装置の少なくとも一部を含む機器を備えた機能部を取付ける機構であって、前記前側固定孔に先部に雌ねじ部を中間に弾性拡径部を有する座付きブッシュを挿入した後、便器取付孔を介して取付ボルトを螺合させて載置固定され且つ両端に上方へ屈曲する屈曲部を有する取付けプレートと前記機能部の前側に設けられた取付部と、前記機能部の後部裏面側に一体的に設けられるナットとを設け、前記機能部を前記便器本体に載せ、前記取付プレートに設けられた前記屈曲部を取り付け部に嵌合させると共に、前記後側固定孔を下側から貫通した前記頭付ボルトをナットに螺合させて前記機能部を前記便器本体に締着する。これにより、機能部上方に露出するように取付け孔を設けなくても良いため、隠蔽カバーを設ける必要がなく、外観を向上することができる。また前側固定工下方にボルト貫通用スペースを設ける必要がないので便器形状を簡単にすることができる。
【０００６】
また、請求項３の発明では、請求項２記載の発明に加え、機能部底面を形成する下面カバーにナットよりも若干大きく形成したナット係止凹部を設けたのでボルトの先端でナットを呼び込むようにすることができ、取付作業を容易にすることができる。
【０００７】
また、請求項４記載の発明では、請求項１または請求項３記載の発明に加え、ナット係止凹部からナットが抜け落ちるのを防止する抜け防止板を下面カバーに取付けたので、物流中、施工作業中にナットがずれ落ちることが無い。
【０００８】
また、請求項５記載の発明では、請求項１、請求項３、請求項４のいずれかに記載の発明に加え、ナット係止凹部の下方には徐々に縮小するテーパ状のボルト挿入ガイドを設けたので、ボルトを確実にナットの雌ネジ孔に導くことができ、施工を極めて容易に行うことができる。
【０００９】
請求項６記載の発明では、請求項２記載の発明に加え、取付けボルトを被覆するカバーを、前記機能部のケーシングに着脱自在に取付けることもできる。
【００１０】
更には、請求項６記載の発明に加え、前記機能部の前側に設けた取付け孔に装着される取付けボルトを、前記機能部のケーシングに嵌着する化粧キャップで覆うことが好ましい。これによって、外観性を向上できる。
【００１１】
【発明の実施の形態】
以下に本発明の実施の形態につき図を用いて詳細に説明する。図１は本発明の便器装置の外観斜視図、図２は同便器の外観斜視図、図３は同便器と給水管との取付手順を示す部分斜視図、図４は局部洗浄装置の便器本体への取付手順を説明するための分解斜視図、図５は局部洗浄装置を底面側からみた斜視図、図６は同局部洗浄装置の底面に設けたねじ頭係止手段を示す部分拡大斜視図、図７は便器に設けられた便器洗浄用モータの給電コネクタの仮固定構造を示す部分斜視図、図８は局部洗浄装置内のコントローラからの給電コネクタと便器洗浄用モータの給電コネクタとの接続手順を示す部分拡大斜視図、図９は同コネクタの接続を隠蔽するための蓋を取付を説明するための部分拡大斜視図、図１０は局部洗浄装置に取付けられた給水管と、便器に取付られた分岐栓との接続手順を示す分解斜視図、図１１は局部洗浄装置内での給水管の取付構造を示す斜視図、図１２は局部洗浄装置のカバーを取り外した状態での便器装置の背面図である。図１９は取付プレートを便器本体８４への取付手順を説明するための分解斜視図である。
【００１２】
図１、図２に示すように、本発明の便器装置は、便器１、便器１に載置固定される局部洗浄装置２、壁面に設けられる止水栓３、便器洗浄装置４、止水栓３からの給水を局部洗浄装置２及び便器洗浄装置４へ分岐するための分岐栓５で構成される。なお、便器洗浄装置４の機構詳細については後述する。便器洗浄装置４は陶器製の便器１の後方に凹ませて設けた載置部１ａに金属製若しくは樹脂製の載置プレート１ｂ等を介してボルトで載置固定する。また、便器洗浄装置４は電動モータ４ａによって電気的に駆動される。従って停電時等で給電が行なえない場合を考慮して手動操作部４ｂが設けられる。この手動操作部４ｂは便器１上面より下方に設けている。なお、便器洗浄装置４の一部は便器１上面よりも上方に突出させているが、これはバキュームブレーカーを設ける必要があるからである。また電動モータ４ａへの給電及び制御を行なうための配線４ｃの先端に設けられるコネクタ４ｄを便器１に仮固定するための保持部１ｇを載置プレート１ｂに一体的に形成する。
【００１３】
便器１の背面コーナー部には収納凹部１３が設けられており、この収納凹部１３に分岐栓５が設置される。便器へ分岐栓を固定する固定構造（固定部）を次に説明する。便器洗浄装置４の入水口４ｅには屈曲自在な連結管６の一端がワンタッチジョイント６ａにより接続され、連結管６の他端は載置プレート１ｂに設けた連結管用貫通孔１ｃを貫通して垂下しており、その連結管６の他端には分岐栓５の出水口５ｆを袋ナット１４で宙吊り状に接続固定する。これにより、便器１には便器洗浄機能部品としての便器洗浄装置４及び分岐栓５が一体化される。また、便器１上面には局部洗浄装置２を取付けるための取付プレート１ｄの取付を図１９を用いて説明する。この取付プレート１ｄの両端は上方に折り曲げられ、中央に２個所に便器取付孔１ｈを設け、屈曲部１ｉにはネジ貫通用の孔を設けておく。
【００１４】
座付きブッシュ３４は、図に示すように、基部に取付けボルト３８が嵌入される小孔３５を設けた座３６が付いており、先部に雌ねじ部３２を中間にゴムで形成された弾性拡径部３３を有している。座付きブッシュ３４を固定孔１ｘに挿入し、座付きブッシュ３４の基部の小孔３５から取付けボルト３８を挿入して先部の雌ねじ部３２と螺合させると、取付ボルト３８の回転に応じて座付きブッシュ３４の先部の雌ねじ部３２が昇降する。座３６を固定して先部の雌ねじ部３２を下方から上方に引き上げると、それにともなって中間の弾性拡径部３３が重なり合って拡張する。その拡張した弾性拡径部３３が固定孔１ｘの内部に押付けられることで取付けボルト３８を便器取付孔１ｈ及び固定孔１ｘに締着する。
【００１５】
図３に示すように、建物躯体に用意された止水栓３に袋ナットで一体化された屈曲自在な供給管７の終端に設けたフランジ７ａと宙吊りの分岐栓５の入水口に設けたフランジ５ａとを弾性変形可能なワンタッチジョイント８で接続する。
【００１６】
次に局部洗浄装置２を便器１へ載置固定するための手順を図４乃至図１２及び図１９を用いて説明する。
局部洗浄装置２は外郭を形成する上面カバー２１、下面カバー２２、下面カバー２２に固定される機能部品２３（調圧弁、逆止弁、電磁弁を一体化したバルブユニット、温水化するための熱交換ユニット、流量を調整する流量調整ユニット、局部へ温水を放出するためのノズルユニット、局部を乾燥するための乾燥ユニット、便器内の悪臭を吸込み無臭化するための脱臭ユニット、使用者を検知するための検知ユニット、各ユニットを制御するコントローラ等）から構成される。なお、機能部品２３には便器洗浄装置４を制御するための便器洗浄用コントローラ２３ａが設けられる。下面カバー２２の後方中央には、便器洗浄装置４の一部の便器１上面よりも上方に突出する部分を嵌装するために開口２２ａを設けている。また、開口２２ａの脇には給水管９を貫通するための給水管用開口２２ｂを設けている。給水管用開口２２ｂは給水管９より若干広めの幅で前後方向に長い形状として給水管９の自由度を左右方向の自由度を狭め、施工の際便器１と下面カバーとの間に給水管９が挟み込まれない様にしている。
【００１７】
下面カバー２２の後部裏面側に設けられたナット２５よりも若干大きく且つ若干深く形成したナット係止凹部２２ｃにナット２５を装着した後、抜け防止板２５ａを抜け防止板係止用凹部２２ｄ内にネジ等で固定し、ナット２５の上下動を規制する。また、ナット係止凹部２２ｃの下方には徐々に縮小するテーパ状のボルト挿入ガイド２２ｅを設けており、ボルト２４の先端がナット２５の雌ネジ孔に確実に係合するようにしている。
【００１８】
次に局部洗浄装置２の取付手順を説明する。まず給水管９を便器１に設けた給水管用貫通孔１ｅに貫通垂下させて局部洗浄装置２を便器１に載せる。また、上面カバー２１と下面カバー２２との両側部間に設けられた隙間２２ｆ内に取付プレート１ｄの両端屈曲部１ｉを嵌合し、ネジ２６を上面カバー２１に設けたネジ挿入孔から屈曲部１ｉに設けたネジ挿入孔に挿入し、下面カバー両側面に固定されたナット２１ａに締着することで局部洗浄装置２の前側を固定する。なおネジ２６の頭部分を隠蔽するための隠蔽カバー２７をネジ２６の頭部分若しくは上面カバー２１に被せる。その後、後側固定孔１ｆを貫通した頭付きボルト２４をナット２５に螺合させて局部洗浄装置２を便器１に締着することで局部洗浄装置２の後側を固定一体化する。この際、ナット係止凹部２２ｃはナット２５よりも若干大き目に形成しているので、ボルト２４の先端のテーパー部分によってナット２５の雌ネジ部分が吸い付くように挿通されるので、締結作業が極めて容易となる。
【００１９】
次に電気的な配線接続を図８及び図９を用いて説明する。図に示すように、上面カバー２１の側部には施工用開口２１ｂが設けられており、下面カバー２２にはコネクタ保持部２２ｇが一体的に形成されている。施工前にはこのコネクタ保持部２２ｇには便器洗浄用コントローラからの電気配線２３ｂの先端に設けられるコネクタ２３ｃが保持されている。上述のように便器１に局部洗浄装置２を一体化した後、コネクタ保持部２２ｇからコネクタ２３ｃ及び便器１のコネクタ保持部１ｇからコネクタ４ｄを開口２１ｂ外に引き出し、コネクタ２３ｃとコネクタ４ｄとを接続する。その後、このコネクタ結合体をコネクタ保持部２２ｇに差し込み、蓋２８で開口２１ｂを塞ぐ。蓋２８の固定は下面カバー２２にネジ固定することで行なう。
【００２０】
次に、局部洗浄装置２と分岐栓５との接続について図１０を用いて説明する。図に示すように、給水管９の先端に設けた取付フランジ９ａ及び分岐栓５の出水口５ｇに設けた取付フランジ５ｃとを突き合わせ、各フランジを弾性変形可能なワンタッチジョイント１０で挟着接続する。この分岐栓５の全体を覆う隠蔽カバー１１を分岐栓５にネジ等で固定し、分岐栓５を隠蔽する。なお、隠蔽カバー１１には止水栓５ｄの操作部５ｂを露出させるための開口１１ａを設けている。なお、図１２に示すように止水栓５ｄの操作部５ｂを除き分岐栓５は便器１の側面内に設けており、便器１の上面側の幅内に止水栓５ｄの操作部５ｂも設けたので、便器正面に立った使用者は便器上面の存在で正面からは操作部５ｂを見ることが出来ず、しゃがむ等姿勢を変更すれば視認可能となる。
ところで、給水管９と局部洗浄装置の入水口２ａとは図１１に示すようにワンタッチジョイント１２を用いて入水口２ａに対し回動自在に固定されている。従って、給水管９は分岐栓５への取付施工時に上下動し易くでき、接続作業性を向上することができる。
また、便器洗浄用コントローラ２３ａを垂直に配置し、最も高い機能部品とすることで上面カバー２１に過負荷がかかった際（上面カバー２１上に使用者が腰掛けた場合等）、このコントローラ２３ａで荷重を受けることにより上面カバー２１の割れを防止することが出来る。
【００２１】
次に、図を用いて便器洗浄装置４を説明する。
図１３は実施例の便器洗浄装置４を便器本体８５と共に概略的に表した概略図、図１４はこの自閉弁および分配弁の断面図であり、図１５は図１４におけるＡ−Ａ線断面図、図１６は便器洗浄装置の概略構成を示すブロック図である。図１７は手動操作部および便器洗浄装置の異常検出に係る実施例の概略図を示す。
【００２２】
図１３に示すように、便器本体８５は、ボール部上縁のリム８５ａから洗浄水を吐出してボール部８５ｂを洗浄するリム洗浄と、ボール部８５ｂ底部の吐出ノズル８５ｃから洗浄水をトラップ配管８５ｄに直接吐出して汚物搬送とトラップ部洗浄を行うジェット洗浄とを実行するように構成されている。そして、この便器本体８５は、リム洗浄とジェット洗浄とを順次実行すべく便器洗浄装置４を備え、この便器洗浄装置４の外部出力ポート１１５ａからは、リム８５ａに至るリム吐水配管８６を外部出力ポート１１６ａからは、吐出ノズル８５ｃに至るジェット吐水配管８７をそれぞれ接続して備える。この場合、リム８５ａと吐出ノズル８５ｃに洗浄水を導くリム吐水配管８６とジェット吐水配管８７への洗浄水の分配供給は、以下にその構成を詳述する便器洗浄装置４によってなされ、こうした分配吐水により、洗浄吐水量、瞬間流量共に効率の良い便器洗浄を行うようにされている。
【００２３】
図１３ないし図１４に示すように、便器洗浄装置４は、給水源（水道）からの一次側給水管１０３（前述の連結管６）が配管接続され自閉機能を有する自閉弁部１０２と、これと同期して洗浄水の分配供給を行うための分配弁部１０１とを積層集約して備え、分配弁部１０１の上端は、上記の各出力ポートを有する出力ポート部１０４と連結されている。本実施例において、便器洗浄装置４は、図１７に示す手動操作部を図中矢印Ｘ方向に引張ることにより、自閉弁の開弁動作および、分配弁の動作が開始する。これにより、自閉作動ならびにこれと同期した分配作動を行うよう構成されている。以下に、本実施例の詳細を記述する。
【００２４】
自閉弁部１０２は、一次側と二次側の差圧を利用して自閉作動を行うよう、以下の構成を備える。この自閉弁部１０２は、一次側給水管１０３が接続される管継ぎ手１０２ａから洗浄装置本体ＪＶに至る一次側給水路１０３ａと、洗浄装置本体ＪＶ内の二次側通水路１１１ａとを備え、この給水路と通水路の間に、ダイヤフラム弁１１０とパイロット弁１１４を有する。
【００２５】
一次側給水路１０３は、洗浄装置本体ＪＶにおいて、当該洗浄装置本体の内壁部分を環状に下方に隆起させて形成した給水弁座１１０ａを取り囲むよう形成されている。よって、一次側給水路１０３ａから流れ込んだ一次側洗浄水は、給水弁座１１０ａの周囲において、ダイヤフラム弁１１０に下方向きに一次側圧力をかける。なお、一次側給水路１０３ａには、管継ぎ手１０２ａの下流で、洗浄装置本体ＪＶの流入口近傍に減圧弁８０，８０ａ（定流量弁もしくは、流調弁でも可）が組み込まれているので、通常洗浄時には、給水弁座１１０ａ周囲には、定圧（定流量）の洗浄水が流れ込むことになる。なお、減圧弁８０，８０ａは、洗浄装置本体ＪＶに組み込まず、それよりも上流側の配管、もしくは止水栓等に配置しても良い。
【００２６】
ダイヤフラム弁１１０は、洗浄装置本体ＪＶの下端開口部に亘ってこの洗浄装置本体ＪＶと背圧室を構成するケース１０２ｃとで挟持され、上記した一次側圧力を受けるダイヤフラム１１０ｂを有する。このダイヤフラム１１０ｂは、背圧室１１０ｃの側に上下動自在に上記したように挟持組み込みされており、ケース内部にあっては、背面のダイヤフラムサポート１１２と上面のリテーナ１１３で挟持・補強されている。このダイヤフラムサポート１１２は、リテーナ１１３とリベットにて固定されている。また、ダイヤフラム１１０ｂは、一次側と二次側の圧力バランスにより、付勢力が働き、その上面の平坦部を弁体として給水弁座１１０ａに通常は当接着座させている。これにより、ダイヤフラム弁１１０は一次側給水路１０３ａを給水弁座１１０ａにてダイヤフラム１１０ｂにより常時閉鎖させている。この状態が、ダイヤフラム弁１１０の閉弁状態（止水状態）であり、便器洗浄装置４は通常この状態をとっている。なお、上下ガイド１１０ｄは、ダイヤフラムサポート１１２にその下端で係合して一体とされており、ダイヤフラム１１０ｂと共に上下動するようにされている。
【００２７】
ダイヤフラム弁１１０は、上記のように閉弁状態にあるときでも一次側給水路１０３ａと背圧室１１０ｃとの圧力均衡を図るべく、ダイヤフラム１１０ｂに一次側給水路１０３ａと背圧室１１０ｃとを連通するブリード穴１１８を有する。このブリード穴１１８は、ダイヤフラム１１０ｂばかりでなくダイヤフラムサポート１１２とリテーナ１１３をも貫通して形成されており、一次側給水路１０３ａの側から背圧室１１０ｃに常時、洗浄水を通過させる。この場合、このブリード穴１１８は、その穴径も小さく、内部には、後述のクリーニングピン１１９も配設されているので、一次側給水路１０３ａの洗浄水は、背圧室１１０ｃに僅かずつしかブリード穴１１８を通って流入しない。そして、クリーニングピン１１９との関係において実質的に洗浄水の通過面積を決定するブリード穴１１８は、図１５の要部拡大図に示すように、クリーニングピン１１９が常時穴内に存在する部分であり、ダイヤフラムサポート１１２に開けられたブリード穴１１８である。
【００２８】
パイロット弁１１４は、上記のダイヤフラム弁１１０の開弁動作を起こさせるものであり、スプリング１１７の付勢力を上向きに直接受けるパイロット弁体１１４ｂと、ダイヤフラムサポート１１２の中央貫通孔の周囲を隆起させて形成したパイロット弁座１１４ａと当接状態（着座状態）とされているので、パイロット弁１１４は、二次側通水路１１１ａと背圧室１１０ｃとの間を閉鎖させている。この状態が、パイロット弁１１４の閉弁状態（止水状態）であり、便器洗浄装置４は、通常この状態を採っている。
【００２９】
ここで、ダイヤフラム弁１１０の閉弁状態から開弁状態を経て、閉弁状態に至るまでの推移の様子について説明する。閉弁状態にあるパイロット弁１１４において、今、パイロット弁体１１４ｂがスプリング１１７の付勢力に抗して傾くと、パイロット弁座１１４ａとパイロット弁体１１４ｂの当接着座がとけ、パイロット流路１１１ｂを介して背圧室１１０ｃと二次側通水路１１１ａとが連通する。この場合、背圧室１１０ｃ内は一次側給水路１０３ａと同圧で二次側通水路１１１ａより圧力が高いので、背圧室１１０ｃ内の水は、パイロット流路１１１ｂを経て二次側通水路１１１ａの側に排出される。すると、ダイヤフラム１１０ｂを挟んだ圧力の均衡が崩れて、このダイヤフラム１１０ｂは下向きに移動する。このため、ダイヤフラム弁１１０ｂは給水弁座１１０ａが開いた開弁状態となり、一次側給水路１０３ａから洗浄水が二次側通水路１１１ａの側に流入する。
【００３０】
その一方、パイロット弁体１１４ｂが正立状態に復帰すると、パイロット弁１１４ｂはパイロット弁座１１４ａをこのパイロット弁体１１４ｂで閉じて閉弁する。この状態にあっては、ダイヤフラム１１０ｂのブリード穴１１８を介して、一次側給水路１０３ａから背圧室１１０ｃに洗浄水が流れ込み、背圧室１１０ｃ内は、この流れ込んだ洗浄水で満杯になる。すると、背圧室１１０ｃの圧力は一次側給水路１０３ａの一次側給水圧力に等しくなり、ダイヤフラム１１０ｂは給水弁座１１０ａに当接着座してダイヤフラム弁１１０ｂは止水状態となり、自閉弁部１０２での止水（自閉止水）がなされる。
【００３１】
次に、上記のようにして、自閉弁部１０２にて、開弁が行われ、洗浄水が流入する分配弁部１０１について説明する。この分配弁部１０１は、自閉弁部１０２による上記の開弁時の開弁動作に同期して洗浄水の供給先を分配すべく以下の構成を有する。
【００３２】
分配弁部１０１は、自閉弁機構部１０２の下流側に位置するようこの自閉弁部１０２と一体的に形成されており、上記したダイヤフラム弁１１０ｂから洗浄水の供給を受ける。分配弁部１０１は、二次側通水路１１１ａに連通する洗浄水分配室１３０を洗浄装置本体ＪＶで区画形成して備える。この洗浄水分配室１３０は、円柱形状で中空とされており、その内周壁面（分配室内周壁面）に、それぞれ上方に延びる出力ポート１１５、１１６が形成されている。この出力ポート１１５、１１６は外部出力ポート１１５ａと１１６ａとそれぞれ連通しているので、出力ポート１１６に流れ込んだ洗浄水は、リム吐水配管８６を経てリム８５ａから吐出され、リム洗浄に用いられる。出力ポート１１６に流れ込んだ洗浄水は、ジェット吐水配管８７を経て吐出ノズル８５ｃから吐出され、ジェット洗浄に用いられる。
【００３３】
分配弁部１０１は、洗浄水分配室１３０の内部に、分配室内周壁面と接触したまま摺動回転可能な回転ドラム１２１を有する。回転ドラム１２１は、この洗浄水分配室１３０に正逆回転自在に軸支された回転シャフト１２２と一体、あるいは、係合により構成されており、当該シャフトと共に回転する。この時、回転シャフト１２２は、横蓋５０ａでその一端が軸支されている。
【００３４】
回転シャフト１２２は、洗浄水分配室１３０の内部においてカム部材１２２ａを有し、このカム部材１２２ａは回転シャフト１２２と一体的に正逆回転する。カム部材１２２ａは、その回転に伴って、パイロット弁体１１４ｂのシャフト部と接触し当該弁体を周期して傾けるようにされている。このカム部材１２２ａにより、上記した自閉弁部１０２における開弁動作が開始される。つまり、回転ドラム１２１やカム部材１２２ａが初期状態（止水状態）にあるとき、図中時計方向に回転シャフト１２２が回転すると、カム部材１２２ａはパイロット弁体１１４ｂを傾けるので、ダイヤフラム弁１１０ｂは上記したように開弁する。
【００３５】
上記の構成において、自閉弁部１０２の自閉止水並びに分配弁機構部１０１の洗浄水分配のための駆動供給は、ギヤ列によって回転シャフト１２２に接続された手動操作弁用出力ギヤ５９０に連結された手動レバー５９１をケース端面５９３ａとシャフト端面５９７ａが突き当たるまで引張ることにより、回転駆動開始を行う。回転シャフト１２２にはゼンマイ、あるいは、ばね等の機械的駆動源を直接的、間接的に接続し、その駆動力をもって回転シャフト１２２を自閉弁１０２の閉止方向へ回転駆動すると同期させて、分配弁１０１の分配動作をさせる。その場合、回転シャフト１２２の回転速度調整のために、ダンパー６０４（オイルダンパー、エアーダンパー等）をギアで介して接続するか、もしくは、先負荷などで調節して速度制御を行ってもよい。
【００３６】
上記構成において、ダンパー６０４（オイルダンパー、エアーダンパー等）を用いたダンパー機構で、アーム６０５，スプリング６０７を介させることにより、手動レバー５９１を引張る際には、ダンパー機構が解除され軽微な力で操作が可能である。尚、アーム６０５，スプリング６０７を介する替りに、１方向作用のダンパーを用いても良い。
この時、回転ドラム１２１は、回転シャフト１２２と共に時計回転するものの、回転開始当初は、出力ポート１１５を閉鎖したままである。よって、ダイヤフラム弁１１０ｂの開弁により、二次側通水路１１１ａを経て一次給水路１０３ａから洗浄水分配室１３０に流れ込んだ洗浄水は、出力ポート１１６を通過して上記したように吐出ノズル８５ｃから吐出される。これにより、ジェット洗浄が実施される。
【００３７】
回転シャフト１２２が更に回転を継続すると、パイロット弁体１１４ｂはカム部材１２２ａにより傾いたままであるため、ダイヤフラム弁１１０は開弁状態を維持し、洗浄水分配室１３０には引き続き洗浄水が流入する。この回転継続の間において、回転ドラム１２１は出力ポート１１６を閉鎖して出力ポート１１５を開放するので、このようにポートの切り替えがなされた以降では、洗浄水分配室１３０の洗浄水は、出力ポート１１５を通過して、リム８５ａから吐出される。これにより、リム洗浄が実施される。このように、回転ドラム１２１によるポート切り替えにより、ジェット洗浄とリム洗浄が順次切替え実施される。しかも、この間に亘ってダイヤフラム弁１１０はパイロット弁体１１４ｂの傾きにより開弁状態を維持するので、リム洗浄とジェット洗浄は、途切れることなく連続して行われる。
【００３８】
その一方、回転ドラム１２１が出力ポート１１６を閉鎖して出力ポート１１５を開放した状態から、回転シャフト１２２が更に時計方向に回転した初期状態に復帰すると、パイロット弁体１１４ｂは、カム部材１２２ａから開放されて正立姿勢を採るので、ダイヤフラム弁１１０は上記したようにして開弁状態から閉弁状態となり、自閉弁機構部１０２では自閉止水される。尚、洗浄水分配室１３０および回転ドラム１２１を変更することによりリム−ジェット−リムのパターン洗浄も可能となる。
【００３９】
図１７に便器洗浄装置の異常検出に係る実施例を示す。
手動操作部４ｂである手動レバー５９１を引張ると力はケース部５９３に内蔵されたスプリング５９９を介して弁側出力ギヤ５９０に伝達され、最終的に回転シャフト１２２を回転させる。スプリング５９９はあらかじめ、自閉弁部，分配弁部の破壊力以下に設定されている。これによって、分配弁１０１，自閉弁１０２の凍結，ごみかみ等の異常を検知して未然に該部の破壊を防止する。
【００４０】
図１８は便器洗浄装置の異常検出に係る別の実施例を示す。
回転シャフト１２２に接続された弁側出力軸５８６に第２ギヤ５８８を設け、対面した第１出力ギヤ５８７の背部にスプリング５８９を設けて、第２ギヤ５８８と第１出力ギヤ５８７に面圧を生じせしめている。スプリング５８９はあらかじめ、自閉弁部，分配弁部の破壊力以下に設定されている。これによって、分配弁１０１，自閉弁１０２の凍結，ごみかみ等の異常を検知して未然に該部の破壊を防止する。
尚、該スプリング５８９を形状記憶合金製とすれば、周囲温度が低くなった場合、自動的に第１出力ギヤ５８７への押力が解除し、分配弁１０１，自閉弁１０２の凍結，ごみかみ等の異常を検知して未然に該部の破壊を防止することが可能である。
【図面の簡単な説明】
【図１】  本発明の便器装置の外観斜視図である。
【図２】  同便器の外観斜視図である。
【図３】  同便器と給水管との取付手順を示す部分斜視図である。
【図４】  局部洗浄装置の便器本体への取付手順を説明するための分解斜視図である。
【図５】  局部洗浄装置を底面側からみた斜視図である。
【図６】  同局部洗浄装置の底面に設けたねじ頭係止手段を示す部分拡大斜視図である。
【図７】  便器に設けられた便器洗浄用モータの給電コネクタの仮固定構造を示す部分斜視図である。
【図８】  局部洗浄装置内のコントローラからの給電コネクタと便器洗浄用モータの給電コネクタとの接続手順を示す部分拡大斜視図である。
【図９】  同コネクタの接続を隠蔽するための蓋を取付を説明するための部分拡大斜視図である。
【図１０】  局部洗浄装置に取付けられた給水管と、便器に取付られた分岐栓との接続手順を示す分解斜視図である。
【図１１】  局部洗浄装置内での給水管の取付構造を示す斜視図である。
【図１２】  局部洗浄装置のカバーを取り外した状態での便器装置の背面図である。
【図１３】  実施例の便器洗浄装置４を便器本体８５と共に概略的に表した概略図である。
【図１４】  図１３の自閉弁部および分配弁部の断面図である。
【図１５】  図１４におけるＡ−Ａ線断面図である。
【図１６】  便器洗浄装置４の概略構成を示すブロック図である。
【図１７】  手動操作部および便器洗浄装置の異常検出に係る実施例の概略図である。
【図１８】  便器洗浄装置の異常検出に係る別の実施例である。
【図１９】  座付きブッシュと取付けボルトを示す斜視図である。
【図２０】  従来の便器本体への機能部取付け方法を示す説明図である。
【符号の説明】
１    …  便器本体
１ｄ  …  取付プレート
１ｆ  …  後側固定孔
１ｈ  …  便器取付孔
１ｉ  …  屈曲部
１ｘ  …  前側固定孔
２    …  局部洗浄装置
４    …  便器洗浄装置
２１ａ  …  ナット（取付部）
２２    …  下面カバー
２２ｃ  …  ナット係止凹部
２２ｅ  …  ボルト挿入ガイド
２３    …  機能部
２４    …  頭付ボルト
２５    …  ナット
２５ａ  …  抜け防止板
２７    …  カバー
３２    …  雌ねじ部
３３    …  弾性拡径部
３４    …  座付きブッシュ
３８    …  取付ボルト
【図１】
0003921110.tif 000002
【図２】
0003921110.tif 000003
【図３】
0003921110.tif 000004
【図４】
0003921110.tif 000005
【図５】
0003921110.tif 000006
【図６】
0003921110.tif 000007
【図７】
0003921110.tif 000008
【図８】
0003921110.tif 000009
【図９】
0003921110.tif 000010
【図１０】
0003921110.tif 000011
【図１１】
0003921110.tif 000012
【図１２】
0003921110.tif 000013
【図１３】
0003921110.tif 000014
【図１４】
0003921110.tif 000015
【図１５】
0003921110.tif 000016
【図１６】
0003921110.tif 000017
【図１７】
0003921110.tif 000018
【図１８】
0003921110.tif 000019
【図１９】
0003921110.tif 000020
【図２０】
0003921110.tif 000021